(57)【要約】      （修正有）【課題】  モールドトランスの製造上のばらつきによる転写装置へ印加する電圧のずれを防止し、モールドトランスの特性に基づく基準電圧を転写装置へ印加できるようにする。【解決手段】  予め定められたスイッチング周波数及びデューティ比となっているテスト用ＰＷＭ信号をスイッチング素子に出力し（１２０）、所定の低電圧の直流電圧を直流電源供給部４６から供給させる（１２２）。そして、出力電圧と基準電圧との誤差が、基準電圧の５％以上であると（１２４）、高電圧の直流電圧を直流電源供給部４６から供給させ（１２６）、出力電圧と高電圧に対応する基準電圧との誤差が、基準電圧の５％以上であると（１２８）、デューティ比を変更し、変更したデューティ比に基づくＰＷＭ信号を出力する（１３２、１３４）。【選択図】図４
2007052065.tif 000002
【特許請求の範囲】
【請求項１】
帯電露光によって像担持体に形成された静電潜像に対して、所定の電荷が帯電されたトナーを供給して、該トナーを前記静電潜像の帯電量に応じて付着させることでトナー画像を形成し、表面が帯電された転写装置によって該トナー画像を記録媒体へ転写することで画像を形成する画像形成装置であって、
直流電圧を供給する電源供給手段と、
前記直流電圧をスイッチングするスイッチング手段と、
前記スイッチング手段によってスイッチングされた直流電圧を昇圧し、かつ、昇圧された電圧を平滑化して前記転写装置へ印加するモールドトランスと、
前記転写装置へ印加される電圧を検出する電圧検出手段と、
前記電圧検出手段によって検出された電圧が、前記モールドトランスの特性に基づく基準電圧になるように、前記スイッチング手段によるスイッチングの周波数及びデューティ比の少なくとも一方を変更する変更手段と、
を含む画像形成装置。
【請求項２】
前記変更手段は、前記電圧検出手段によって検出された電圧が、前記低電圧側から高電圧側にわたって、前記基準電圧と異なる場合には、前記スイッチング手段によるスイッチングの前記デューティ比を変更し、
前記電圧検出手段によって検出された電圧が、前記低電圧側から高電圧側までの一部分において、前記基準電圧と異なる場合には、前記スイッチング手段によるスイッチングの前記周波数を変更する請求項１記載の画像形成装置。
【請求項３】
前記変更手段によって変更された、前記スイッチング手段によるスイッチングの前記周波数及び前記デューティ比を記憶する記憶手段を更に含み、
前記スイッチング手段は、前記記憶手段に記憶された前記周波数及び前記デューティ比に基づいて、前記直流電圧をスイッチングする請求項１又は２記載の画像形成装置。
【請求項４】
前記モールドトランスのトランスは、コアの削りだしが行われているか、又は、前記コアがモールドされていないことを特徴とする請求項１〜請求項３の何れか１項記載の画像形成装置。
【請求項５】
前記変更手段による変更を指示する指示手段を更に含み、
前記変更手段は、前記指示手段によって指示されたとき、前記スイッチング手段によるスイッチングの周波数及びデューティ比を変更する請求項１〜請求項４の何れか１項記載の画像形成装置。
【発明の詳細な説明】
【技術分野】
【０００１】
本発明は、画像形成装置に係り、特に、帯電露光によって像担持体に形成された静電潜像に対して、所定の電荷が帯電されたトナーを供給して、トナーを静電潜像の帯電量に応じて付着させることでトナー画像を形成し、表面が帯電された転写装置によってトナー画像を記録用紙へ転写することで画像を形成する画像形成装置に関する。
【背景技術】
【０００２】
従来、転写型の電子写真方式を用いた複写機、プリンタ、ファクシミリ等の転写方式画像形成装置は、帯電露光によって感光体に静電潜像を形成し、例えばマイナス帯電されたトナーを供給することで、トナーを静電潜像の帯電量に応じて付着させることで顕像化し、転写装置（転写ロール、転写ベルト等）によって、顕像化された画像であるトナー画像を感光体から記録用紙へ転写して、記録用紙上のトナー画像を定着させることより画像を形成している。
【０００３】
感光体からトナー画像を記録用紙に転写させるために、転写装置に対して高電圧を印加する必要があり、高電圧を印加する電源装置では、入力電圧を所定の周波数及びデューティ比でスイッチングして、トランスによって昇圧すると共に、平滑化した直流電圧を転写装置へ印加している。このときのスイッチングの周波数及びデューティ比はトランスの特性により決定されている。
【０００４】
また、転写装置へ電圧を印加する場合に、転写装置の抵抗を算出し、転写装置に印加される電圧が所定電圧に抑えられるように、転写装置へ出力する出力電流が所定電流と異なる場合に、スイッチングのデューティ比を補正して、印加する電圧を調整することが知られている（特許文献１）。
【０００５】
また、転写装置へ電圧を印加する電源装置では、トランス及び平滑化回路などがモールドされているモールドトランスが用いられており、このモールドトランスでは、コストを抑えるために、トランスのコアの削りだしを行ったり、コアをモールドせずにモールドトランスをＧＮＤピンなどで固定している。
【特許文献１】特開平９−１８２４２６
【発明の開示】
【発明が解決しようとする課題】
【０００６】
しかしながら、このようなモールドトランスをプリント基板にはんだ付けすると、コアの特性が変化して、製造上のばらつきが発生するため、実際に転写装置に印加される電圧が、モールドトランスの特性に基づく基準電圧より大きくずれてしまい、特に、転写装置へ高電圧を印加するときに、この基準電圧とのずれが顕著になってしまう、という問題がある。
【０００７】
本発明は、上記の問題点を解決するためになされたもので、モールドトランスの製造上のばらつきによる転写装置へ印加する電圧のずれを防止し、モールドトランスの特性に基づく基準電圧を転写装置へ印加できる画像形成装置を提供することを目的とする。
【課題を解決するための手段】
【０００８】
上記の目的を達成するために本発明に係る画像形成装置は、帯電露光によって像担持体に形成された静電潜像に対して、所定の電荷が帯電されたトナーを供給して、該トナーを前記静電潜像の帯電量に応じて付着させることでトナー画像を形成し、表面が帯電された転写装置によって該トナー画像を記録媒体へ転写することで画像を形成する画像形成装置であって、直流電圧を供給する電源供給手段と、前記直流電圧をスイッチングするスイッチング手段と、前記スイッチング手段によってスイッチングされた直流電圧を昇圧し、かつ、昇圧された電圧を平滑化して前記転写装置へ印加するモールドトランスと、前記転写装置へ印加される電圧を検出する電圧検出手段と、前記電圧検出手段によって検出された電圧が、前記モールドトランスの特性に基づく基準電圧になるように、前記スイッチング手段によるスイッチングの周波数及びデューティ比の少なくとも一方を変更する変更手段とを含んで構成されている。
【０００９】
本発明に係る画像形成装置によれば、スイッチング手段によって、直流電圧をスイッチングし、モールドトランスによって、スイッチングされた直流電圧を昇圧し、かつ、昇圧された電圧を平滑化して前記転写装置へ印加する。
【００１０】
そして、電圧検出手段によって、転写装置へ印加される電圧を検出し、変更手段によって、検出された電圧が、モールドトランスの特性に基づく基準電圧になるように、スイッチング手段によるスイッチングの周波数及びデューティ比の少なくとも一方を変更する。
【００１１】
なお、モールドトランスは、トランス及び平滑化回路をモールド（樹脂含浸）してケーシングしたものである。
【００１２】
従って、転写装置へ印加される電圧が、モールドトランスの特性に基づく基準電圧になるように、スイッチングの周波数及びデューティ比の少なくとも一方を変更することにより、モールドトランスの製造上のばらつきによる転写装置へ印加する電圧のずれを防止し、モールドトランスの特性に基づく基準電圧を転写装置へ印加することができる。
【００１３】
また、本発明に係る変更手段は、電圧検出手段によって検出された電圧が、低電圧側から高電圧側にわたって、基準電圧と異なる場合には、スイッチング手段によるスイッチングのデューティ比を変更し、電圧検出手段によって検出された電圧が、低電圧側から高電圧側までの一部分において、基準電圧と異なる場合には、スイッチング手段によるスイッチングの周波数を変更することができる。
【００１４】
これにより、検出された電圧の低電圧側から高電圧側にわたって、基準電圧と異なっている場合には、モールドトランスにおいて、負荷変動にずれが生じていると判断されるため、スイッチングのデューティ比を変更することにより、モールドトランスの特性に基づく基準電圧を転写装置へ印加できるようになる。また、低電圧側から高電圧側までの一部分において、基準電圧と異なっている場合は、モールドトランスのトランスに対して、共振周波数がずれていると判断されるため、スイッチングの周波数を変更することにより、モールドトランスの特性に基づく基準電圧を転写装置へ印加できるようになる。
【００１５】
また、本発明に係る画像形成装置は、変更手段によって変更された、スイッチング手段によるスイッチングの周波数及びデューティ比を記憶する記憶手段を更に含み、スイッチング手段は、記憶手段に記憶された周波数及びデューティ比に基づいて、直流電圧をスイッチングすることができる。これにより、変更した周波数及びデューティ比を記憶しておくため、転写装置へ電圧を印加するたびに、周波数及びデューティ比の変更処理を行う必要がなく、画像形成の際の処理効率の低下を防止することができる。
【００１６】
また、本発明に係るモールドトランスのトランスは、コアの削りだしが行われているか、又は、コアがモールドされていないことを特徴とすることができる。これにより、モールドトランスのコストを抑えることができる。
【００１７】
本発明に係る画像形成装置は、変更手段による変更を指示する指示手段を更に含み、変更手段は、指示手段によって指示されたとき、スイッチング手段によるスイッチングの周波数及びデューティ比を変更することができる。これにより、変更を指示されたときだけ周波数及びデューティ比の変更処理を行えばよいため、画像形成の際の処理効率の低下を防止することができる。
【発明の効果】
【００１８】
以上説明したように、本発明の画像形成装置によれば、転写装置へ印加される電圧が、モールドトランスの特性に基づく基準電圧になるように、スイッチングの周波数及びデューティ比の少なくとも一方を変更することにより、モールドトランスの製造上のばらつきによる転写装置へ印加する電圧のずれを防止し、モールドトランスの特性に基づく基準電圧を転写装置へ印加することができる、という効果が得られる。
【発明を実施するための最良の形態】
【００１９】
以下、本発明の実施の形態について図面を参照して説明する。図１に示すように、本発明の実施の形態に係る画像形成装置１０は、図１の矢印Ｑ方向へ定速回転する像担持体である感光体ドラム１２と、形成すべき画像データに基づいて感光体ドラム１２表面にレーザビームを照射する光走査装置１４と、を備えている。
【００２０】
光走査装置１４は、レーザ光源（図示せず）、ｆθレンズ（図示せず）、及びポリゴンミラー１４Ａ等を含んで構成されており、上記レーザ光源から射出されたレーザビームは、ポリゴンミラー１４Ａによって偏向されかつｆθレンズ、反射ミラー１５等を介して感光体ドラム１２上の所定の照射位置Ａに照射される。これにより、感光体ドラム１２表面において、ポリゴンミラー１４Ａの回転により偏向されたレーザビームによる走査がなされる。
【００２１】
感光体ドラム１２の外周部近傍において、上記照射位置Ａよりも感光体ドラム１２の回転方向（図１の矢印Ｑ方向）上流側には、感光体ドラム１２の表面を所定の帯電電圧で帯電させる帯電ユニット１６が配設されている。また、光走査装置１４の照射位置Ａを挟んで感光体ドラム１２の回転方向下流側には、感光体ドラム１２表面に照射されたレーザビームによって形成される静電潜像に応じたトナー画像を形成する現像ユニット１８と、当該トナー画像を記録用紙Ｐに転写する転写ロール２０と、記録用紙Ｐと感光体ドラム１２との剥離を容易にするべく記録用紙Ｐに剥離電圧を放電する剥離板２２と、感光体ドラム１２表面の残留トナー等を除去するクリーナ３８と、が順に配置されている。
【００２２】
また、画像形成装置１０内の最下部には記録用紙Ｐが積層されており、これらの記録用紙Ｐは、半月ロール２４によって上から１枚ずつ引き出され、搬送ロール２６、２８等によって所定の搬送路Ｔに沿って搬送されるようになっている。なお、記録用紙Ｐの搬送路Ｔは、感光体ドラム１２と転写ロール２０とのニップ部Ｎ、及び加熱ロール３２と加圧ロール３４とを含んで構成された定着ユニット３０を順に通過するよう設定されている。
【００２３】
従って、この画像形成装置１０では、帯電ユニット１６により帯電された感光体ドラム１２表面に対して、形成すべき画像データに基づいて照射制御されたレーザビームによる走査がなされることで、感光体ドラム１２表面には、形成すべき画像に対応した静電潜像が形成される。ここで形成された静電潜像は、感光体ドラム１２の回転により現像ユニット１８に到達し、現像ユニット１８内の例えばマイナス帯電されたトナーによってトナー画像が形成される。さらに、このトナー画像は、感光体ドラム１２とプラスの高電圧を印加された転写ロール２０とのニップ部Ｎに到達し、感光体ドラム１２のトナー画像が転写ロール２０に十分ひきつけられることにより、同じくニップ部Ｎに搬送されてきた記録用紙Ｐにトナー画像が転写される。トナー画像が転写された記録用紙Ｐは、剥離板２２による剥離放電によって感光体ドラム１２から剥離され、定着ユニット３０へ搬送される。定着ユニット３０では、トナー画像が加熱ロール３２及び加圧ロール３４により記録用紙Ｐに定着される。トナー画像の定着処理が完了した記録用紙Ｐは、用紙剥離用フィンガー３６によって加熱ロール３２及び加圧ロール３４から剥離され、搬送ロール２８等によって画像形成装置１０の外部へ排出される。なお、感光体ドラム１２表面は、記録用紙Ｐへのトナー画像の転写完了後にクリーナ３８によってクリーニングされ、残存したトナー等が除去される。
【００２４】
本実施の形態に係る画像形成装置１０は、帯電ユニット１６、現像ユニット１８、剥離板２２、定着ユニット３０等に対して電圧を供給するための電源回路（図示せず）が各々設けられており、また、転写ロール２０に対して高電圧を供給するための後述する転写電源回路が設けられている。
【００２５】
次に、図２を用いて、転写ロール２０への所定の高電圧の印加制御をする制御系の構成について説明する。画像形成装置１０には、画像形成装置１０全体を制御する装置制御部４０が設けられており、また、装置制御部４０に接続され、かつ、転写動作時に転写ロール２０に対して印加する所定の高電圧（転写電圧）を供給する転写電源回路４２が設けられている。なお、装置制御部４０は、ＣＰＵ、メモリ４１、及びデータＩ／Ｏ等を含むマイクロコンピュータで構成されており、転写電源回路４２は、装置制御部４０によって制御されるようになっている。
【００２６】
転写電源回路４２は、後述するモールドトランス５２に所定の直流電圧を供給する直流電源供給部４６、１次巻線に入力された電圧を昇圧して２次巻線から出力するトランス４８と電圧を平滑化する平滑化回路５０とをモールド（樹脂含浸）したモールドトランス５２、入力されたＰＷＭ（Ｐｕｌｓｅ  Ｗｉｄｔｈ  Ｍｏｄｕｌａｔｉｏｎ：パルス幅変調）信号に基づいて、１次巻線に入力される電圧をオンオフするスイッチングを行うスイッチング素子５４、トランス４８の１次巻線に入力される電圧を検出する１次側電圧検出部５６、転写電源回路４２が出力する電圧を検出する出力電圧検出部５８、及び直流電源供給部４６によってモールドトランス５２に入力される直流電圧を制御する入力電圧制御部６０を備えている。
【００２７】
トランス４８は、コアの削りだしが行われているか、又は、コアがモールドされずに、ＧＮＤピンで固定されている。
【００２８】
また、トランス４８の１次巻線の一方の端子には直流電源供給部４６の出力端が接続されており、直流電源供給部４６からの直流電圧をトランス４８の１次巻線の一方の端子に入力することができる。
【００２９】
また、トランス４８の１次巻線の他方の端子にはスイッチング素子５４の出力端が接続されており、トランス４８の２次巻線の端子は平滑化回路５０の入力端に接続されている。更に、平滑化回路５０の出力端には、出力電圧検出部５８及び転写ロール２０の入力端が接続されている。
【００３０】
一方、装置制御部４０は、ＰＷＭ信号を生成してスイッチング素子５４に入力すると共に、入力電圧制御部６０に対して、モールドトランス５２へ所定の直流電圧を入力するように制御するための制御信号を入力するようになっている。また、装置制御部４０は、出力電圧検出部５８で検出された電圧を示す電圧モニタ信号が入力されるようになっている。
【００３１】
次に、本発明の実施の形態に係る作用について説明する。画像形成装置１０に電源が投入されると、図３に示す開始時処理ルーチンを装置制御部４０において実行する。まず、ステップ１００において、初期化処理が実行され、画像形成装置１０の各部のウォームアップ動作等が行われ、ステップ１０２で、初めての使用であるか否かが判定される。初めて電源を投入した場合や装置出荷時には、ステップ１０４において、後述するパラメータ補正処理ルーチンが実行され、転写電源回路４２のスイッチング素子５４へ入力するＰＷＭ信号のスイッチング周波数及びデューティ比が変更され、変更内容が装置制御部４０のメモリ４１に記憶される。
【００３２】
そして、ステップ１０６において、変更されたスイッチング周波数及びデューティ比を示すデータをメモリ４１から読み出して、ＰＷＭ信号を生成する際のパラメータとして設定し、ステップ１０８において、実行待機状態へ遷移し、処理ルーチンを終了する。
【００３３】
次に、上記のステップ１０４を実現するパラメータ変更処理ルーチンについて、図４を用いて説明する。
【００３４】
まず、ステップ１２０において、予め定められたスイッチング周波数及びデューティ比となっているテスト用ＰＷＭ信号をスイッチング素子５４に出力し、ステップ１２２において、所定の低電圧の直流電圧を直流電源供給部４６から供給させるための低電圧制御信号を入力電圧制御部６０に出力する。なお、この時入力するスイッチング周波数とデューティ比はトランス４８のＬ値に依存して定められており、入出力特性による直線性が保たれ、負荷変動による入出力特性の傾きのずれがないように実験的に求められたスイッチング周波数及びデューティ比となっている。おおむね直線性を保つには周波数に依存し、負荷変動はデューティ比に依存している。
【００３５】
このとき、１次側電圧検出部５６により検出された電圧と、低電圧制御信号が示す電圧とに基づいて、入力電圧制御部６０によって、直流電源供給部４６が制御され、直流電源供給部４６によって、低電圧制御信号が示す低電圧がスイッチング電圧としてトランス４８の１次巻線に入力される。そして、スイッチング素子５４によって、装置制御部４０から入力されたテスト用ＰＷＭ信号のスイッチング周波数及びデューティ比により直流電圧の入力のオンオフを繰り返してスイッチングして、スイッチングされたスイッチング電圧がモールドトランス５２のトランス４８の１次巻線に入力される。
【００３６】
そして、スイッチング素子５４がオンとなっている時にトランス４８の1次側に蓄えられたエネルギーが、スイッチング素子５４がオフした時、２次側に伝わり、昇圧される。
【００３７】
昇圧された電圧がトランス４８の２次巻線から平滑化回路５０に入力され、平滑化回路５０で平滑化された直流電圧が転写電圧としてモールドトランス５２から出力される。
【００３８】
そして、ステップ１２４において、出力電圧検出部５８によって出力された電圧モニタ信号に基づいて、出力電圧検出部５８によって検出されたモールドトランス５２からの出力電圧（転写電圧）と、モールドトランス５２のトランス４８の特性によって定められ、かつ、低電圧のスイッチング電圧に対応する基準電圧との誤差が、例えば基準電圧の５％未満の範囲であるか否かを判定し、出力電圧と基準電圧との誤差が、基準電圧の５％以上であると、ステップ１２６において、ステップ１２２の低電圧制御信号が示す低電圧より高い電圧である所定の高電圧の直流電圧を直流電源供給部４６から供給させるための高電圧制御信号を入力電圧制御部６０に出力する。なお、この高電圧とステップ１２４の低電圧との差は、大きいほど好ましい。
【００３９】
そして、ステップ１２０のスイッチング周波数及びデューティ比で、直流電源供給部４６から入力された高電圧の直流電圧をスイッチングし、スイッチングされたスイッチング電圧を昇圧して、平滑化された直流電圧がモールドトランス５２から出力される。
【００４０】
次のステップ１２８において、出力電圧検出部５８によって出力された電圧モニタ信号に基づいて、出力電圧検出部５８によって検出されたモールドトランス５２からの出力電圧と、トランス４８の特性によって定められ、かつ、高電圧に対応する基準電圧との誤差が、例えば基準電圧の５％未満の範囲であるか否かを判定する。なお、ステップ１２４の基準電圧及びステップ１２８の基準電圧は、直流電源供給部４６から入力される低電圧及び高電圧と対応させて、装置制御部４０のメモリ４１にテーブルとして予め記憶されている。
【００４１】
ここで、出力電圧と基準電圧との誤差が、基準電圧の５％以上である場合には、図５（Ａ）に示すように、入力される電圧の低電圧側から高電圧側にわたって、同等の誤差を持っているため、負荷変動にずれが生じていると判断される。
【００４２】
従って、ステップ１２８において、出力電圧と高電圧に対応する基準電圧との誤差が、基準電圧の５％以上であると判定されると、ステップ１３０において、出力電圧が基準電圧より高いか否かを判定し、出力電圧が基準電圧より高いと、ステップ１３２で、デューティ比を所定量下げたデューティ比に変更し、変更したデューティ比に基づくＰＷＭ信号を出力して、ステップ１２２に戻るが、一方、出力電圧が基準電圧より低いと、ステップ１３４で、デューティ比を所定量上げたデューティ比に変更し、変更したデューティ比に基づくＰＷＭ信号を出力してステップ１２２に戻る。
【００４３】
その後、再度ステップ１２２〜ステップ１３０の処理を行い、変更したデューティ比にて効果確認を行い、出力電圧と基準電圧との誤差が５％未満になった場合は、その変更したデューティ比を、モールドトランス５２のトランス個体に適したデューティ比として採用する。
【００４４】
また、ステップ１２４において、出力電圧と低電圧に対応する基準電圧との誤差が、基準電圧の５％未満の範囲であると、ステップ１３６で、ステップ１２６と同様に、所定の高電圧の直流電圧を直流電源供給部４６から供給させるための高電圧制御信号を入力電圧制御部６０に出力する。
【００４５】
そして、ステップ１３８において、出力電圧と高電圧に対応する基準電圧との誤差が、基準電圧の５％未満の範囲であるか否かを判定する。
【００４６】
高電圧に対応する基準電圧との誤差が、基準電圧の５％以上である場合には、図５（Ｂ）のように、入力された低電圧及び高電圧の何れか一方において、出力電圧と対応する基準電圧とが異なる場合は、入出力特性が直線性を保っていないため、トランス４８に対して共振周波数がずれていると判断できる。つまり１次側の発振に対して充分に２次側にエネルギーが伝わっていないと判断できる。
【００４７】
従って、ステップ１３８で、基準電圧との誤差が、基準電圧の５％以上であると判定されると、ステップ１４０において、スイッチング周波数を変更し、変更したスイッチング周波数に基づくＰＷＭ信号を出力して、ステップ１２２に戻る。ここで、スイッチング周波数の変更は、スイッチング周波数を上げる変更と下げる変更との両方を含む。これは共振周波数を探すためであり、どちらの変更により入出力特性が直線性を保つようになるかを判断する必要があるためである。判断結果として誤差が少なくなったスイッチング周波数を、モールドトランス５２のトランス個体に適したスイッチング周波数として採用する。
【００４８】
また、ステップ１２８において、高電圧に対応する基準電圧との誤差が、５％未満であると、ステップ１４０において、スイッチング周波数を変更し、変更したスイッチング周波数に基づくＰＷＭ信号を出力して、ステップ１２２へ戻る。
【００４９】
また、ステップ１３８において、高電圧に対応する基準電圧との誤差が、５％未満であると、ステップ１４２で、最終的に変更されたスイッチング周波数及びデューティ比を装置制御部４０のメモリ４１に記憶し、パラメータ変更処理ルーチンを終了する。
【００５０】
そして、実行待機状態において、画像形成処理が指示されると、帯電ユニット１６により感光体ドラム１２表面を帯電させたのち、光走査装置１４によって、形成すべき画像データに基づいて照射制御されたレーザビームを感光体ドラム１２表面に対して走査し、形成すべき画像に対応した静電潜像を形成する。続いて、感光体ドラム１２を回転し、ここで形成した静電潜像を現像ユニット１８に到達させて、現像ユニット１８内のマイナス帯電されたトナーを付着させてトナー画像を形成する現像工程を実行する。さらに、感光体ドラム１２を回転し、形成されたトナー画像を、感光体ドラム１２と転写ロール２０とのニップ部Ｎに到達させると共に、同じくニップ部Ｎに記録用紙Ｐを搬送して、トナー画像を記録用紙Ｐに転写すべく転写工程を実行する。
【００５１】
この転写工程において、装置制御部４０では、メモリ４１に記憶されたスイッチング周波数及びデューティ比に基づいて、ＰＷＭ信号をスイッチング素子５４へ出力し、スイッチング素子５４によって、入力されたＰＷＭ信号のスイッチング周波数及びデューティ比により直流電圧の入力のオンオフを繰り返してスイッチングして、モールドトランス５２のトランス４８の１次巻線に入力する。そして、スイッチングされたスイッチング電圧が昇圧され、平滑化回路５０で平滑化され、平滑化された直流電圧が転写電圧としてモールドトランス５２から転写ロール２０に出力される。
【００５２】
また、実行待機状態のときに、画像形成装置１０の操作パネル部（図示省略）において、パラメータ変更処理が指示されると、図６の割り込み処理ルーチンが実行される。まず、ステップ１６０において、上述した図４に示すパラメータ補正処理ルーチンを実行し、転写電源回路４２のスイッチング素子５４へ入力するＰＷＭ信号のスイッチング周波数及びデューティ比を変更して、変更したスイッチング周波数及びデューティ比が装置制御部４０のメモリ４１に記憶される。
【００５３】
そして、ステップ１６２において、変更されたスイッチング周波数及びデューティ比を示すデータを装置制御部４０のメモリ４１から読み出して、ＰＷＭ信号を生成する際のパラメータとして設定し、ステップ１６４において、実行待機状態へ遷移し、割り込み処理ルーチンを終了する。
【００５４】
以上説明したように、本発明の実施の形態に係る画像形成装置によれば、転写ロールへ印加される転写電圧が、モールドトランスの特性に基づく基準電圧になるように、スイッチング周波数及びデューティ比の少なくとも一方を変更して、モールドトランスのトランスに最適なスイッチング周波数及びデューティ比とすることにより、モールドトランスの製造上のばらつきによる転写電圧のずれを防止し、モールドトランスの特性に基づく基準電圧を安定して転写装置へ印加することができる。
【００５５】
また、モールドトランスのトランスの巻き数は、モールドトランス間で同じであり、Ｌ値等に差はないため、周波数を数キロヘルツだけ変更させ、デューティ比を数％だけ変更させれば済む。
【００５６】
また、従来技術の中には転写電圧を印加する装置を駆動するたびに、負荷にかかる抵抗値、環境に関わる各種センサを取り込んでＣＰＵで制御し、スイッチング周波数及びデューティ比を可変させている機構もあるが、本発明では、モールドトランスのトランス自身の特性に関わる変更処理を行っており、負荷の有無や環境の変化に依存することがないため、毎回の転写電圧起動時に変更処理が必要とならない。従って、変更した周波数及びデューティ比をメモリに記憶し、記憶された周波数及びデューティ比に基づいて、ＰＷＭ信号を出力すればよいため、転写ロールへ電圧を印加するたびに、周波数及びデューティ比の変更処理を行う必要がなく、変更処理による画像形成処理の処理効率の低下を防止することができる。
【００５７】
また、周波数及びデューティ比の変更処理は、装置出荷時や、初めての使用時、メンテナンス時に行うことでユーザー自身の使用環境下で安定した転写電圧を出力させることができる。
【００５８】
モールドトランスのトランスについて、コアの削りだしが行われているか、又は、コアがモールドされていないため、モールドトランスのコストを抑えることができる。
【図面の簡単な説明】
【００５９】
【図１】本発明の実施の形態に係る画像形成装置の構成を示す概略図である。
【図２】本発明の実施の形態に係る画像形成装置の装置制御部及び転写電源回路の構成を示すブロック図である。
【図３】本発明の実施の形態に係る画像形成装置の開始時処理ルーチンの内容を示すフローチャートである。
【図４】本発明の実施の形態に係る画像形成装置のパラメータ変更処理ルーチンの内容を示すフローチャートである。
【図５】（Ａ）は検出された電圧が低電圧側から高電圧側にかけて基準電圧と異なる場合を示すグラフであり、（Ｂ）は検出された電圧が低電圧側から高電圧側までの一部分において基準電圧と異なる場合を示すグラフである。
【図６】本発明の実施の形態に係る画像形成装置の割り込み処理ルーチンの内容を示すフローチャートである。
【符号の説明】
【００６０】
１０  画像形成装置
１２  感光体ドラム
２０  転写ロール
４０  装置制御部
４１  メモリ
４２  転写電源回路
４６  直流電源供給部
４８  トランス
５０  平滑化回路
５２  モールドトランス
５４  スイッチング素子
５８  出力電圧検出部
６０  入力電圧制御部
Ｐ  記録用紙
【図１】
2007052065.tif 000003
【図２】
2007052065.tif 000004
【図３】
2007052065.tif 000005
【図４】
2007052065.tif 000006
【図５】
2007052065.tif 000007
【図６】
2007052065.tif 000008